(57)【要約】【目的】状況に応じてアプリケーションを起動してコンテンツの再生を行うことが可能な再生装置を提供する。【構成】判定手段は、起動要求に応じて、アプリケーションプログラムが前回終了したときの終了時点情報に基づいて、アプリケーションプログラムを起動すべき状況か否かを判定する起動判定を行う。アプリケーションプログラムを起動すべき状況であると判定手段によって判定された場合、起動手段は、アプリケーションプログラムを起動してコンテンツの再生を開始する。【選択図】図１
2017163460.tif 000002
【特許請求の範囲】
【請求項１】
アプリケーションプログラムを実行してコンテンツを再生する再生装置であって、
起動要求に応じて、前記アプリケーションプログラムが前回終了したときの終了時点情報に基づいて、前記アプリケーションプログラムを起動すべき状況か否かを判定する判定手段と、
前記判定手段によって前記アプリケーションプログラムを起動すべき状況であると判定された場合に、前記アプリケーションプログラムを起動する起動手段と、
を備えることを特徴とする再生装置。
【請求項２】
前記終了時点情報は、前記アプリケーションプログラムが前回終了してからの経過時間の情報を含み、
前記判定手段は、前記起動要求を取得した時点以前の所定時間内に前記アプリケーションが終了していた場合に、前記アプリケーションプログラムを起動すべき状況であると判定することを特徴とする請求項１に記載の再生装置。
【請求項３】
前記コンテンツは、再生時にページ切り替えを伴うコンテンツであって、
前記終了時点情報は、前記コンテンツの前回の再生時に最後にページ切り替えが行われた時点からの経過時間の情報を含み、
前記判定手段は、前記起動要求を取得した時点以前の所定時間内に前記コンテンツのページの切り替えが行われていた場合に、前記アプリケーションを起動すべき状況であると判定することを特徴とする請求項１又は２に記載の再生装置。
【請求項４】
前記終了時点情報は、前記アプリケーションプログラムが前回終了した時点におけるコンテンツ内の再生位置の情報を含み、
前記判定手段は、前記アプリケーションプログラムの終了時点で前記コンテンツの最終ページの表示が未了である場合に、前記アプリケーションプログラムを起動すべき状況であると判定することを特徴とする請求項３に記載の再生装置。
【請求項５】
前記アプリケーションプログラムは、コンテンツ内の所望の再生位置を再生開始位置として指定する再生位置指定を受け付ける機能を有し、
前記判定手段は、前記アプリケーションプログラムが前回終了した時点で前記再生位置指定がされていない場合、前記アプリケーションプログラムを起動すべき状況であると判定することを特徴とする請求項１乃至４のいずれか１に記載の再生装置。
【請求項６】
前記判定手段は、前記アプリケーションプログラムが前回終了した地点の場所を表す終了時点情報に基づいて、前記アプリケーションプログラムが前回終了した地点が所定の場所である場合に、前記アプリケーションプログラムを起動すべき状況であると判定することを特徴とする請求項１乃至５のいずれか１に記載の再生装置。
【請求項７】
前記判定手段は、前記コンテンツが再生期限付きのコンテンツであって且つ前記再生期限までの期間が所定期間以内である場合に、前記アプリケーションプログラムを起動すべき状況であると判定することを特徴とする請求項１乃至６のいずれか１に記載の再生装置。
【請求項８】
前記判定手段が前記アプリケーションプログラムを起動すべき状況であると判定した場合に、判定結果を外部装置に送信する送信手段をさらに備え、
前記起動手段は、前記判定結果に応じて前記外部装置から起動指示が供給された場合に、前記アプリケーションプログラムを起動することを特徴とする請求項１乃至７のいずれか１に記載の再生装置。
【請求項９】
アプリケーションプログラムを実行してコンテンツを再生する再生装置と通信接続され、前記再生装置に前記アプリケーションプログラムの起動を指示する起動指示装置であって、
前記再生装置から前記アプリケーションプログラムを起動すべき状況か否かの判定結果を取得する判定結果取得手段と、
前記アプリケーションプログラムを起動すべき状況であると判定された場合に、前記再生装置に起動指示を送信する起動指示送信手段と、
を備えることを特徴とする起動指示装置。
【請求項１０】
アプリケーションプログラムを実行してコンテンツを再生する再生装置と、前記再生装置に前記アプリケーションの起動を指示する起動指示装置と、を含む再生システムであって、
前記再生装置は、前記アプリケーションプログラムが前回終了したときの終了時点情報に基づいて、前記アプリケーションプログラムを起動すべき状況か否かを判定し、
前記起動指示装置は、前記判定の判定結果に応じて、前記再生装置に起動指示を供給することを特徴とする再生システム。
【請求項１１】
アプリケーションプログラムを実行してコンテンツを再生する再生装置における再生方法であって、
判定手段に、起動要求に応じて、前記アプリケーションプログラムが前回終了したときの終了時点情報に基づいて、前記アプリケーションプログラムを起動すべき状況か否かを判定させるステップと、
前記アプリケーションプログラムを起動すべき状況であると判定された場合に、起動手段に前記アプリケーションプログラムを起動させるステップと、
を備えることを特徴とする再生方法。
【請求項１２】
コンテンツを再生するアプリケーションプログラムを起動させるプログラムであって、
コンピュータに、起動要求に応じて、前記アプリケーションプログラムが前回終了したときの終了時点情報に基づいて、前記アプリケーションプログラムを起動すべき状況か否かを判定するステップと、
前記アプリケーションプログラムを起動すべき状況であると判定された場合に、前記アプリケーションプログラムを起動するステップと、
を実行させることを特徴とするプログラム。
【請求項１３】
アプリケーションプログラムを実行してコンテンツを再生する再生装置に前記アプリケーションプログラムの起動を指示する起動指示装置における起動指示方法であって、
判定結果取得手段に、前記再生装置から前記アプリケーションプログラムを起動すべき状況か否かの判定結果を取得させるステップと、
前記アプリケーションプログラムを起動すべき状況であると判定された場合に、起動送信手段に前記再生装置に起動指示を送信させるステップと、
を備えることを特徴とする起動指示方法。
【請求項１４】
アプリケーションプログラムを実行してコンテンツを再生する再生装置に対して、前記アプリケーションプログラムの起動を指示するためのプログラムであって、
コンピュータに、前記再生装置から前記アプリケーションプログラムを起動すべき状況か否かの判定結果を取得するステップと、
前記アプリケーションプログラムを起動すべき状況であると判定された場合に、前記再生装置に起動指示を送信するステップと、
を実行させることを特徴とするプログラム。
【発明の詳細な説明】
【技術分野】
【０００１】
本発明は、コンテンツを再生する再生装置に関する。
【背景技術】
【０００２】
電子書籍等の文字情報を含むコンテンツを再生するアプリケーションプログラム（以下、単にアプリケーションと称する）において、端末装置の音声出力機能を用いてコンテンツの内容を音声出力する音声読み上げ機能を有するアプリケーションが知られている。また、端末装置の通信機能を用いて、音声データを他の装置に送信することにより、他の装置のスピーカを通して音声を出力することが可能である。従って、例えば自動車に搭載された車載装置のスピーカを用いて音声読み上げ機能の音声を出力すれば、ユーザは端末装置を操作することなく、コンテンツを楽しむことができる。
【０００３】
このように２つの装置を連携させてコンテンツの再生を開始する場合、ユーザは当該２つの装置に対して操作を行うことが要請される。従って、再生開始までに手間や時間がかかるため、素早くスムーズにコンテンツの再生を開始することができないという問題があった。このような問題を解決するべく、２つの装置間の距離の変化や電源のオンオフに応じて自動的にコンテンツの再生を開始する再生方法が知られている（例えば、特許文献１）。
【先行技術文献】
【特許文献】
【０００４】
【特許文献１】特開２０１３−２０７４８９号公報
【発明の概要】
【発明が解決しようとする課題】
【０００５】
上記した従来技術のように、２つの装置を連携させつつコンテンツを再生する再生システムでは、前回コンテンツの再生を終了したときの状況や終了状態にかかわらずアプリケーションが起動し、一律にコンテンツの再生が開始されてしまうという問題が生じる。よって、例えばアプリケーションを前回終了した時点で１つのコンテンツが既に最後まで再生されていた場合や、アプリケーションの起動が長期間にわたって行われていなかった場合等、ユーザがコンテンツの再生を希望しないと推察される場合であっても、コンテンツの再生が開始されてしまうという問題がある。
【０００６】
本発明が解決しようとする課題としては、アプリケーションが前回終了したときの状況や終了状態にかかわらず、コンテンツの再生が開始されてしまうという問題が一例として挙げられる。
【課題を解決するための手段】
【０００７】
請求項１に記載の発明は、アプリケーションプログラムを実行してコンテンツを再生する再生装置であって、起動要求に応じて、前記アプリケーションプログラムが前回終了したときの終了時点情報に基づいて、前記アプリケーションプログラムを起動すべき状況か否かを判定する判定手段と、前記判定手段によって前記アプリケーションプログラムを起動すべき状況であると判定された場合に、前記アプリケーションプログラムを起動する起動手段と、を備えることを特徴とする。
【０００８】
また、請求項９に記載の発明は、アプリケーションプログラムを実行してコンテンツを再生する再生装置と通信接続され、前記再生装置に前記アプリケーションプログラムの起動を指示する起動指示装置であって、前記再生装置に前記アプリケーションプログラムを起動すべき状況か否かの判定を要求する判定要求を送信する判定要求送信手段と、前記判定の結果を取得し、前記アプリケーションプログラムを起動すべき状況であると判定された場合に、前記再生装置に起動指示を送信する起動指示送信手段と、を備えることを特徴とする。
【０００９】
また、請求項１０に記載の発明は、アプリケーションプログラムを実行してコンテンツを再生する再生装置と、前記再生装置と通信接続され、前記再生装置に前記アプリケーションの起動指示を供給する起動指示装置と、を含む再生システムであって、前記起動指示装置は、前記アプリケーションプログラムを起動すべき状況か否かの判定を要求する判定要求を前記再生装置に送信し、前記再生装置は、前記判定要求に応じて、前記アプリケーションプログラムが前回終了したときの終了時点情報に基づいて前記判定を行うことを特徴とする。
【００１０】
また、請求項１１に記載の発明は、アプリケーションプログラムを実行してコンテンツを再生する再生装置における再生方法であって、判定手段に、起動要求に応じて、前記アプリケーションプログラムが前回終了したときの終了時点情報に基づいて、前記アプリケーションプログラムを起動すべき状況か否かを判定させるステップと、前記アプリケーションプログラムを起動すべき状況であると判定された場合に、起動手段に前記アプリケーションプログラムを起動させるステップと、を備えることを特徴とする。
【００１１】
また、請求項１２に記載の発明は、コンテンツを再生するアプリケーションプログラムを起動させるプログラムであって、コンピュータに、起動要求に応じて、前記アプリケーションプログラムが前回終了したときの終了時点情報に基づいて、前記アプリケーションプログラムを起動すべき状況か否かを判定するステップと、前記アプリケーションプログラムを起動すべき状況であると判定された場合に、前記アプリケーションプログラムを起動するステップと、を実行させることを特徴とする。
【００１２】
また、請求項１３に記載の発明は、アプリケーションプログラムを実行してコンテンツを再生する再生装置に前記アプリケーションプログラムの起動を指示する起動指示装置における起動指示方法であって、判定結果取得手段に、前記再生装置から前記アプリケーションプログラムを起動すべき状況か否かの判定結果を取得させるステップと、前記アプリケーションプログラムを起動すべき状況であると判定された場合に、起動送信手段に前記再生装置に起動指示を送信させるステップと、を備えることを特徴とする。
【００１３】
また、請求項１４に記載の発明は、  アプリケーションプログラムを実行してコンテンツを再生する再生装置に対して、前記アプリケーションプログラムの起動を指示するためのプログラムであって、コンピュータに、前記再生装置から前記アプリケーションプログラムを起動すべき状況か否かの判定結果を取得するステップと、前記アプリケーションプログラムを起動すべき状況であると判定された場合に、前記再生装置に起動指示を送信するステップと、を実行させることを特徴とする。
【図面の簡単な説明】
【００１４】
【図１】本発明の再生装置を含む再生システムを示すブロック図である。
【図２】本発明の再生装置の機能ブロック図である。
【図３】継続判定処理の動作ルーチンを示すフローチャートである。
【図４】前回モード継続における起動処理の動作ルーチンを示すシーケンス図である。
【図５】起動判定処理の動作ルーチンを示すシーケンス図である。
【図６】アプリ起動処理の動作ルーチンを示すシーケンス図である。
【発明を実施するための形態】
【００１５】
以下、本発明の実施例である再生装置１０を含む再生システム１００について、図面を参照して説明する。
【００１６】
再生装置１０は、電子書籍等のページの遷移を伴うコンテンツを再生するアプリケーションプログラム（以下、コンテンツ再生アプリケーションと称する）を実行してコンテンツの再生を行う端末装置であり、スマートフォン等の通信端末から構成されている。また、再生装置１０は、例えばＷｉｆｉ（登録商標）やＢｌｕｅｔｏｏｔｈ（登録商標）等の通信規格に従って、通信パケットの送受信を行う機能を有する。本実施例では、再生装置１０は、自動車等の車両の車内において、当該車両に搭載された車載装置２０と無線通信路ＷＬを介して通信接続され、車載装置２０との間で各種指令やデータの送受信を行う。
【００１７】
再生装置１０は、通信部１１及び制御部１２を有する。制御部１２は、連携アプリケーション機能部１３及び再生アプリケーション機能部１４を含む。
【００１８】
通信部１１は、無線通信により車載装置２０との間で種々の指令やデータの送受信を行う。例えば、通信部１１は、車載装置２０から送信された起動判定要求ＳＤ及び起動指示ＳＲを受信する。また、通信部１１は、起動判定結果ＤＲ及びコンテンツ再生時の音声データを車載装置２０に送信する。
【００１９】
制御部１２は、例えばＣＰＵ（Central Processing Unit）によって構成され、再生装置１０の各部の制御を行う。所定のプログラムの実行により、制御部１２には連携アプリケーション機能部１３及び再生アプリケーション機能部１４が形成される。
【００２０】
連携アプリケーション機能部１３は、連携用アプリケーションプログラムの実行により形成され、車載装置２０からの指示に応じて再生アプリケーション機能部１３の起動制御を行う。
【００２１】
図２に示すように、連携アプリケーション機能部１３は、情報取得部３１、起動判定部３２、起動制御部３３及び情報格納部３４を有する。
【００２２】
情報取得部３１は、通信部１１が車載装置２０から受信した起動判定要求ＳＤ及び起動指示ＳＲを取得する。また、情報取得部３１は、再生アプリケーション機能部１３がアプリケーションの実行を終了したとき（すなわち、コンテンツの再生を停止したとき）の終了状態及び終了状況を示す終了時点情報ＥＳと、再生アプリケーション機能部１３がコンテンツの再生を終了した地点の場所情報である終了場所情報ＥＬと、を再生アプリケーション機能部１３から取得する。ここで、「終了状態」とは、例えばコンテンツ再生アプリケーションを前回終了した時点でコンテンツのどのページが表示されていたか及び次回の再生開始位置の指定（所謂ブックマーク）がされていたか等、前回終了時点におけるコンテンツそのものの状態を指す。一方、「終了状況」とは、コンテンツ再生アプリケーションの終了時からの経過時間及び最後にページ切替が行われてからの経過時間等、コンテンツそのものの状態以外の前回終了時点についての情報を指す。
【００２３】
起動判定部３２は、起動判定要求ＳＤに応じて、コンテンツ再生アプリケーションを起動すべき状況か否かを判定する処理である起動判定処理を実行する。起動判定部３２は、情報取得部３１が取得した終了時点情報ＥＳに基づいて、コンテンツ再生アプリケーションを起動すべき状況か否かを判定する。例えば、（１）コンテンツ再生アプリケーションが終了したのが１５分以内であり、且つ（２）その際に再生されていたコンテンツの最終ページの表示が未了（すなわち、最後まで再生されていない状態）であり、且つ（３）１５分以内にページ切替が行われていた場合に、コンテンツ再生アプリケーションを起動すべき状況であると判定する。一方、これらの条件を満たさない場合、起動判定部３２は、コンテンツ再生アプリケーションを起動すべき状況ではないと判定する。
【００２４】
なお、この起動判定条件は、ユーザの操作により適宜追加可能に構成されている。例えば、（１）〜（３）の条件を満たし、且つ（４）コンテンツの再生を前回終了した際に、コンテンツ内の所望の再生位置を次回の再生開始位置として指定する再生位置指定（所謂ブックマーク）がなされていなかった場合に、コンテンツ再生アプリケーションを起動すべき状況であるとすることが可能である。また、（１）〜（３）の条件を満たし、且つ終了場所情報ＥＬに基づき（５）コンテンツの再生を前回終了した場所が所定の登録場所であるという条件を満たした場合に、コンテンツ再生アプリケーションを起動すべき状況であるとすることが可能である。
【００２５】
さらに、上記（１）〜（５）の条件とは別に、（６）前回再生していたコンテンツが再生期限付きのコンテンツであって且つ期限日までの期間が所定の日数（例えば、５日）以内である場合には、（１）〜（５）の条件を満たしているか否かに関わらず、コンテンツ再生アプリケーションを起動すべき状況であると判定するようにすることが可能である。
【００２６】
起動制御部３３は、起動指示ＳＲに応じて再生アプリケーション機能部１４を制御し、コンテンツ再生アプリケーションを起動させる。
【００２７】
情報格納部３４は、情報取得部３１が取得した終了時点情報ＥＳ及び終了場所情報ＥＬを格納する。また、情報格納部３４は、ユーザにより予め登録された登録場所の情報を登録場所情報ＲＬとして格納する。例えば、ユーザがコンテンツ再生アプリケーションをよく利用する場所（例えば、自宅等）が、ユーザにより登録場所として登録される。
【００２８】
再生アプリケーション機能部１４は、ユーザによる再生装置１０の操作又は連携アプリケーション機能部１３の制御に応じて、コンテンツの再生を行う。再生アプリケーション機能部１４は、ページ切替部４１、音声再生部４２、コンテンツ格納部４３及び再生情報格納部４４を有する。
【００２９】
ページ切替部４１は、コンテンツ格納部４３に格納されているコンテンツのページ切替を行う。本実施例において、ページ切替部４１は、音声再生部４２による音声再生のタイミングに合わせてページ切替を行う。また、ページ切替部４１は、ユーザによる操作を受けてページ切替を行うことが可能に構成されている。
【００３０】
音声再生部４２は、コンテンツ格納部４３にコンテンツと対応付けて格納されている音声データを読み出し、音声データの再生（音声読み上げ）を行う。音声再生部４２は、再生中の音声データ（以下、読み上げ音声データと称する）を通信部１１に供給し、通信部１１は読み上げ音声データを車載装置２０に送信する。
【００３１】
以下の説明では、ページ切替部４１によるページの切り替え及び音声再生部４２による音声データの再生を総称して、単に「コンテンツの再生」と称する。
【００３２】
コンテンツ格納部４３は、図示せぬコンテンツサーバからダウンロードしたコンテンツを格納する。また、コンテンツ格納部４３は、コンテンツ内の文字データに対応する音声データを格納する。
【００３３】
再生情報格納部４４は、再生部４１が再生しているコンテンツのコンテンツ内における再生位置の情報を格納する。また、コンテンツの再生が途中で停止された場合には、コンテンツ内の停止位置の情報を停止位置情報として格納する。また、ユーザがコンテンツ内の所望の位置を次回のコンテンツの再生における再生開始位置として指定した場合、かかる位置の情報を指定位置情報として格納する。
【００３４】
再び図１を参照すると、車載装置２０は、通信部２１、制御部２２、音声出力部２３及び表示部２４を有する。車載装置２０は、再生装置１０と無線通信を行い、再生装置１０に起動判定要求ＳＤ及び起動指示ＳＲを送信する。すなわち、車載装置２０は、本発明の起動指示装置の一例にあたる。
【００３５】
車載装置２０は、例えば自動車等の車両に搭載されたカーナビゲーション装置であり、ナビゲーション機能による地図情報の表示及びナビゲーション音声の出力を行う。また、車載装置２０は、ＣＤ等を音源とする音声データを再生して音声を出力する機能を有する。車載装置２０は、車載装置２０を搭載する車両のアクセサリー電源（以下、ＡＣＣと称する）がＯＮとなることにより電源が投入され、ＡＣＣがオフとなることにより電源がオフとなる。また、車載装置２０は、再生装置１０から音声データを取得し、コンテンツの再生時の音声を出力する。
【００３６】
通信部２１は、無線通信路ＷＬを介して再生装置１０との間で種々の指令やデータの送受信を行う。例えば、通信部２１は、起動判定要求ＳＤ及び起動指示ＳＲを再生装置１０に送信する。また、通信部２１は、再生装置１０から送信された起動判定結果ＤＲ及びコンテンツ再生時の音声データを受信する。また、通信部２１は、例えばＢｌｕｅｔｏｏｔｈ（登録商標）の機能により、所定の範囲内に無線接続可能な端末が存在しているか否かを検知する機能を有する。
【００３７】
制御部２２は、例えばＣＰＵによって構成され、通信部２１、音声出力部２３及び表示部２４の各部の制御を行う。また、制御部２２は、車載装置２０の電源が前回オフとなった直前の時点（以下、単に電源オフ時点と称する）で出力されていたのと同じソースの音声を引き続き出力する「前回モード継続」を行う否かを判定する継続判定処理を実行する。
【００３８】
音声出力部２３は、スピーカ等から構成され、ナビゲーション音声の出力を行う。また、音声出力部２３は、ＣＤを再生した音声等、車載装置２０をソースとする音声の出力を行う。また、音声出力部２３は、再生装置１０から読み上げ音声データが供給された場合、再生装置１０をソースとする読み上げ音声データの音声を出力する。
【００３９】
表示部２４は、例えばタッチパネル機能を搭載した液晶画面から構成され、地図情報を含むナビゲーション画面の表示を行う。また、通信部２１が再生装置１０から起動判定結果ＤＲを受信した場合、表示部２４は、再生装置１０をソースとする読み上げ音声データの音声を音声出力部２３から出力するか否かをユーザに問う確認メッセージを表示する。例えば「コンテンツ再生アプリを起動しますか？」「はい／いいえ」というメッセージを表示し、タッチパネルを用いたユーザの入力を受け付ける。
【００４０】
次に、本実施例の再生装置１０及び車載装置２０が行う継続判定処理及び起動判定処理の処理動作について、図３〜図６のフローチャート及びシーケンス図を参照して説明する。
【００４１】
図３は、車載装置２０が行う継続判定処理のルーチンを示すフローチャートである。車載装置２０を搭載する車両のＡＣＣがＯＮとなり、電源が投入されると、車載装置２０の通信部２１は、無線接続可能な所定の範囲内に他の端末が存在しているか否かを検知する。再生装置１０が無線接続可能な範囲にあることを検知すると、通信部２１は、再生装置１０との間の通信接続を確立する処理を行う（ステップＳ１０１）。
【００４２】
制御部２２は、ＡＣＣがＯＦＦとなってからＡＣＣがＯＮとなるまでの時間が５分以内であるか否かを判定する（ステップＳ１０２）。５分以内であると判定すると、電源オフ時点で出力していた音声と同じソースの音声を引き続き出力する（すなわち、前回モード継続を行う）と判定する（ステップＳ１０３）。一方、５分以内ではないと判定すると、前回モード継続を行わないと判定する（ステップＳ１０４）。
【００４３】
図４は、前回モード継続を行う場合において車載装置２０及び再生装置１０（連携アプリケーション機能部１３及び再生アプリケーション機能部１４）が実行するコンテンツ再生アプリケーションの起動処理の処理動作を示すシーケンス図である。
【００４４】
車載器２０の制御部２２は、電源オフの時点で音声出力部２３が出力していた音声の音声データが、車載器２０をソースとする音声（例えば、車載器２０においてＣＤを再生した音声）であるか否かを判定する（ステップＳ２０１）。電源オフの時点で出力されていたのが車載器２０をソースとする音声であると判定すると、制御部２２は、音声出力部２３を制御して引き続き車載器２０をソースとする音声の出力を実行させる（ステップＳ２０２）。
【００４５】
一方、電源オフの時点で出力されていたのが再生装置１０から供給された読み上げ音声データの音声であると判定すると、制御部２２は、コンテンツ再生アプリケーションの起動を再生装置１０に指示する起動指示ＳＲを生成する。通信部２１は、起動指示ＳＲを再生装置１０に送信する（ステップＳ２０３）。
【００４６】
再生装置１０の通信部１１は、起動指示ＳＲを受信し、連携アプリケーション機能部１３に供給する。連携アプリケーション機能部１３は、起動指示ＳＲに応じて、コンテンツ再生アプリケーションの起動制御を行う（ステップＳ２０４）。再生アプリケーション機能部１４は、コンテンツ再生アプリケーションを起動する（ステップＳ２０５）。
【００４７】
図５は、前回モード非継続の場合において再生装置１０（連携アプリケーション機能部１３及び再生アプリケーション機能部１４）及び車載装置２０が実行する起動判定処理のルーチンを示すシーケンス図である。
【００４８】
車載装置２０の制御部２２は、起動判定要求ＳＤを生成し、通信部２１に供給する。通信部２１は、起動判定要求ＳＤを再生装置１０に送信する（ステップＳ３０１）。
【００４９】
再生装置１０の連携アプリケーション機能部１３は、再生アプリケーション機能部１４からコンテンツの再生が前回終了したときの終了状態及び終了状況を示す終了時点情報ＥＳを取得し、コンテンツ再生アプリケーションの終了状態の確認を行う（ステップＳ３０２）。
【００５０】
連携アプリケーション機能部１３の起動判定部３２は、コンテンツ再生アプリケーションが前回終了してからの経過時間が１５分以内であるか否かを判定する（ステップＳ３０３）。終了から１５分が既に経過していた場合、起動判定部３２は、コンテンツ再生アプリケーションを起動すべき状況ではないと判定する（ステップＳ３０７）。
【００５１】
コンテンツ再生アプリケーションの終了から１５分以内であった場合、起動判定部３２は、コンテンツ再生アプリケーションが前回終了した時点でコンテンツの最終ページの表示が行われていたか否か、すなわち再生していたコンテンツが未了であるか否かを判定する（ステップＳ３０４）。再生していたコンテンツが未了でない、すなわちコンテンツが最後まで再生されていた場合、起動判定部３２は、コンテンツ再生アプリケーションを起動すべき状況ではないと判定する（ステップＳ３０７）。
【００５２】
再生していたコンテンツが未了である場合、起動判定部３２は、１５分以内にページ切替が行われたか否かを判定する（ステップＳ３０５）。１５分以内にページ切替が行われていない場合、起動判定部３２は、コンテンツ再生アプリケーションを起動すべき状況ではないと判定する（ステップＳ３０７）。
【００５３】
１５分以内にページ切替が行われていた場合、起動判定部３２は、コンテンツ再生アプリケーションを起動すべき状況であると判定する（ステップＳ３０６）。
【００５４】
起動判定部３２は、起動判定結果ＤＲを通信部１１に供給する。通信部１１は、起動判定結果ＤＲを車載装置２０に送信する（ステップＳ３０８）。
【００５５】
図６は、コンテンツ再生アプリケーションを起動すると判定された場合のアプリ起動処理のルーチンを示すシーケンス図である。
【００５６】
車載装置２０の制御部２２は、表示部２４を制御して、ユーザに対しコンテンツ再生アプリケーションを起動するか否かを問う起動確認メッセージを表示させる（ステップＳ４０１）。ユーザは、表示部２４のタッチパネルやその他の図示せぬ入力部を操作して「はい」又は「いいえ」を選択することにより、コンテンツ再生アプリケーションの起動を了承するか否かを入力する。
【００５７】
車載装置２０の制御部２２は、コンテンツ再生アプリケーションの起動が了承されたか否かを判定する（ステップＳ４０２）。起動が了承されなかった場合、制御部２２は、音声出力部２３を制御して、車載装置２０をソースとする音声（例えば、ＣＤを再生した音声）の出力を実行させる（ステップＳ４０３）。
【００５８】
コンテンツ再生アプリケーションの起動が了承された場合、制御部２２は、起動指示ＳＲを生成して通信部２１に供給する。通信部２１は、再生装置１０に起動指示ＳＲを送信する（ステップＳ４０４）。
【００５９】
再生装置１０の通信部１１は、起動指示ＳＲを受信し、連携アプリケーション機能部１３に供給する。連携アプリケーション機能部１３は、起動指示ＳＲに応じて、コンテンツ再生アプリケーションの起動制御を行う（ステップＳ４０５）。再生アプリケーション機能部１４は、コンテンツ再生アプリケーションを起動する（ステップＳ４０６）。
【００６０】
以上のように本実施例の再生装置１０は、アプリケーションが前回終了したときの状況や終了状態を示す終了時点情報ＥＳに基づいて、コンテンツ再生アプリケーションを起動すべき状況か否かを判定する。そして、アプリケーションを起動すべき状況であると判定された場合に、車載装置２０からの起動指示ＳＲに応じて、コンテンツ再生アプリケーションを起動する。
【００６１】
従って、アプリケーションが終了してから長期間が経過している場合やコンテンツの最終ページまで再生が完了している場合等、ユーザがコンテンツの再生を希望しないと推察される状況では、アプリケーションの起動が実行されない。よって、状況に応じた利便性の高いコンテンツの再生を行うことが可能となる。
【００６２】
なお、本発明の実施形態は、上記実施例で示したものに限られない。例えば、上記実施例ではコンテンツ再生アプリケーションが電子書籍等のコンテンツを再生するアプリケーションである場合を例として説明したが、コンテンツの内容は電子書籍に限られない。コンテンツ再生アプリケーションは、テキストや画像等の何らかのコンテンツを再生するアプリケーションであれば良い。
【００６３】
また、上記実施例では、図５のシーケンス図を参照した動作説明において、（１）１５分以内にコンテンツ再生アプリケーションが利用されていたか、（２）再生されていたコンテンツの最終ページの表示が未了か、（３）１５分以内にページ切替が行われていたか、を判定し、いずれの条件をも満たした場合に、コンテンツ再生アプリケーションを起動すべき状況であると判定する例について説明した。
【００６４】
しかし、これに加えて、さらに指定位置情報に基づいて（４）前回終了時に再生開始位置の指定がなされていたか、を判定することにより、起動判定を行うルーチンとしても良い。また、終了場所情報ＥＬ及び登録場所情報ＲＬに基づいて、（５）コンテンツの再生を前回終了した場所が所定の登録場所であるか、を判定して起動判定を行うルーチンとしても良い。また、（１）〜（５）とは別に、前回再生していたコンテンツが再生期限付きのコンテンツであって且つ期限日までの期間が所定の日数以内であるか、を判定して起動判定を行うルーチンとしても良い。
【００６５】
また、上記実施例では、本発明の起動指示装置の一例として、車載装置２０が起動判定要求ＳＤ及び起動指示ＳＲを再生装置１０に送信する場合について説明した。しかし、起動指示装置の実施形態はこれに限られない。起動指示装置は、再生装置と通信接続され、アプリケーションの起動判定要求及び起動指示を再生装置に送信可能な構成を有するものであれば良い。
【００６６】
また、上記実施例で説明した一連の処理は、例えばＲＯＭなどの記録媒体に格納されたプログラムに従ったコンピュータ処理により行うことができる。
【符号の説明】
【００６７】
１０  再生装置
１１  通信部
１２  制御部
１３  連携アプリケーション機能部
１４  再生アプリケーション機能部
２０  車載装置
２１  通信部
２２  制御部
２３  音声出力部
２４  表示部
３１  情報取得部
３２  起動判定部
３３  起動制御部
３４  情報格納部
４１  ページ切替部
４２  音声再生部
４３  コンテンツ格納部
４４  再生情報格納部
１００  再生システム
【図１】
2017163460.tif 000003
【図２】
2017163460.tif 000004
【図３】
2017163460.tif 000005
【図４】
2017163460.tif 000006
【図５】
2017163460.tif 000007
【図６】
2017163460.tif 000008